(57)【要約】【課題】  光モジュールの挿入状態において該光モジュールがケージから容易に外れないようにするとともに、光モジュールの抜出時において該光モジュールをケージから容易に引き抜くことができる光モジュールを提供する。【解決手段】  光モジュール３の挿入状態においては、ラッチレバー１３の突起１３ｅがケージ５の開口５ｆと係合することにより光モジュール３がケージ５にラッチされる。また、光モジュール３の抜出時においては、作業者がリリースタブ１１を押し込むと、リリースタブ１１の回転動作にラッチレバー１３が連動して、ラッチレバー１３の突起１３ｅとケージ５の開口５ｆとの係合状態が解除される。そして、ラッチレバー１３の変位にアクチュエータ部材１５が連動して、アクチュエータ部材１５がケージ５の突起５ｇの端部５ｋを押しながらｘ軸方向に移動する。【選択図】  図１
2005043757.tif 000002
【特許請求の範囲】
【請求項１】
内部に受光素子及び発光素子の少なくともいずれか一方を収容する筐体と、ケージに挿入された際に該ケージと該筐体とが係合する構造を有する光モジュールであって、
該係合構造はリリースタブとラッチレバーとで構成され、
該リリースタブは該筐体に支持された回転軸に回転可能に軸支されており、
該ラッチレバーは、該ケージと係合する第１の突起を有し、該リリースタブの回転運動に連動して該筐体に対しスライド可能に支持されていることを特徴とする光モジュール。
【請求項２】
前記筐体は、前記光モジュールの前記ケージへの挿入方向に対し斜め方向に設けられた係合溝を有し、
前記ラッチレバーは、前記リリースタブに当接する第１の当接面と、前記筐体の該係合溝に係合する第２の突起とを有し、
前記リリースタブと前記ラッチレバーの前記第１の当接面とが当接しつつ前記リリースタブが回転することにより、該第２の突起が該係合溝中をスライドし、該第１の突起と該ケージとの係合を解く、請求項１に記載の光モジュール。
【請求項３】
前記係合構造はさらに前記ラッチレバーと連動するアクチュエータを有し、
前記ラッチレバーは、該アクチュエータと係合する第３の突起を有し、
該アクチュエータは、該第３の突起と係合する係合部と、該ケージに当接する第２の当接面とを有し、
前記リリースタブと該ラッチレバーの前記第１の当接面とが当接しつつ前記リリースタブが回転することにより該アクチュエータが該挿入方向にスライドし、該第２の当接面が該ケージに当接しつつ挿入方向と逆方向に該筐体をスライドさせる、請求項２に記載の光モジュール。
【請求項４】
前記アクチュエータ、前記ラッチレバー、及び前記リリースタブが、前記筐体において互いに対向する二つの側面に対称に設けられている、請求項３に記載の光モジュール。
【発明の詳細な説明】
【技術分野】
【０００１】
本発明は、光モジュールをケージに挿入及び抜出するための構造を有する光モジュールに関するものである。
【背景技術】
【０００２】
近年の光通信システムにおいては、光ファイバをコンピュータに接続する際に、光ファイバと結合される光モジュールをマザーボードなどの配線基板に設けられたコネクタに差し込む方式が用いられる場合がある。この方式は、コンピュータ及び光通信システムを稼働した状態でコンピュータと光ファイバとを結合または分離する、いわゆる活栓挿抜と呼ばれる方式に主に用いられている。
【０００３】
このような活栓挿抜方式においては、光モジュールと配線基板とが容易に外れないようにするためのロック機構を備えることが望ましい。例えば、特許文献１には、配線基板に取り付けられたケージと光モジュールとが容易に外れないようにするためのラッチ構造を有する光モジュールが開示されている。この光モジュールは、弾性的に支持されたリリースレバーを両側面に有しており、リリースレバーに設けられた突起がケージの開口に係合することによりケージにラッチされる。そして、この光モジュールでは、リリースレバーを光モジュールの内方向へ曲げることによってリリースレバーに設けられた突起がケージの開口から外れ、ラッチが解除される。
【０００４】
また、同じ技術分野において、光ファイバを光モジュールに結合する際の構造も開示されている。例えば、特許文献２には、光モジュールの光コネクタに差し込まれた光ファイバが容易に外れないように保持するための取手を備える光モジュールが開示されている。この光モジュールでは、光ファイバが光コネクタに差し込まれた後、取手を下げることによって光ファイバが保持されるとともに、取手がラッチされる。
【特許文献１】米国特許第５，７３４，５５８号明細書
【特許文献２】米国特許第５，９０１，２６３号明細書
【発明の開示】
【発明が解決しようとする課題】
【０００５】
上記した特許文献のうち、特許文献１は、光モジュールとケージとが振動などによって容易に外れないようにラッチするとともに、光モジュールとケージとのラッチが作業者によって容易に解除される構造を開示している。また、特許文献２は、光ファイバと光モジュールとの結合が容易に外れないようにするための構造を開示している。しかしながら、光モジュールとケージとのラッチを外して引き抜く際には、光モジュールのコネクタと配線基板のコネクタとの比較的固い嵌合力、ＥＭＩ対策用部材の弾性力、及び光モジュールとケージとの摩擦力に抗して引き抜くこととなる。特許文献１及び特許文献２に開示されたような従来の構造では、光モジュールをケージから引き抜くための掴みしろが少ないため、光モジュールをケージから引き抜く際に充分な力を加えることができず、引き抜く際に困難性を伴う場合があった。従って、挿入状態において光モジュールがケージから容易に外れないようにするとともに、抜出時において光モジュールをケージから容易に引き抜くことができる構造が望まれている。
【０００６】
本発明は、上記の問題点を鑑みてなされたものであり、光モジュールの挿入状態において該光モジュールがケージから容易に外れないようにするとともに、光モジュールの抜出時において該光モジュールをケージから容易に引き抜くことができる光モジュールを提供することを目的とする。
【課題を解決するための手段】
【０００７】
上記した課題を解決するために、本発明による光モジュールは、内部に受光素子及び発光素子の少なくともいずれか一方を収容する筐体と、ケージに挿入された際にケージと筐体とが係合する構造を有する光モジュールであって、係合構造がリリースタブとラッチレバーとで構成され、リリースタブが筐体に支持された回転軸に回転可能に軸支されており、ラッチレバーが、ケージと係合する第１の突起を有し、リリースタブの回転運動に連動して筐体に対しスライド可能に支持されていることを特徴とする。
【０００８】
上記した光モジュールでは、ケージへの挿入状態においては、ラッチレバーの第１の突起がケージと係合することにより光モジュールがケージにラッチされるので、光モジュールのコネクタは配線基板から容易に外れない。また、ケージからの抜出時においては、作業者がリリースタブを押し込むと、リリースタブの回転動作にラッチレバーが連動して、ラッチレバーの第１の突起とケージとの係合状態が解除される。従って、上記した光モジュールによれば、作業者がリリースタブを押し込むことにより、光モジュールとケージとの係合状態を解除することができるので、光モジュールをケージから容易に引き抜くことができる。
【０００９】
また、光モジュールは、筐体が、光モジュールのケージへの挿入方向に対し斜め方向に設けられた係合溝を有し、ラッチレバーが、リリースタブに当接する第１の当接面と、筐体の係合溝に係合する第２の突起とを有し、リリースタブとラッチレバーの第１の当接面とが当接しつつリリースタブが回転することにより、第２の突起が係合溝中をスライドし、第１の突起とケージとの係合を解くことを特徴としてもよい。これによって、ラッチレバーがリリースタブの回転動作に連動して斜め方向に安定してスライドすることができる。
【００１０】
また、光モジュールは、係合構造がさらにラッチレバーと連動するアクチュエータを有し、ラッチレバーが、アクチュエータと係合する第３の突起を有し、アクチュエータが、第３の突起と係合する係合部と、ケージに当接する第２の当接面とを有し、リリースタブとラッチレバーの第１の当接面とが当接しつつリリースタブが回転することによりアクチュエータが挿入方向にスライドし、第２の当接面がケージに当接しつつ挿入方向と逆方向に筐体をスライドさせることを特徴としてもよい。この光モジュールによれば、作業者がリリースタブを押し込むことにより、光モジュールとケージとの係合状態を解除するとともに光モジュールの一部をケージから突き出すことができるので、作業者が光モジュールを掴み易くなり、光モジュールをケージからさらに容易に引き抜くことができる。
【００１１】
また、光モジュールは、アクチュエータ、ラッチレバー、及びリリースタブが、筐体において互いに対向する二つの側面に対称に設けられていることを特徴としてもよい。これによって、作業者がリリースタブを押し込むことが容易になるとともに、アクチュエータ部材からケージへの力が光モジュール筐体の両側面においてバランスよく加えられるので、光モジュールをケージからさらに容易に引き抜くことができる。
【発明の効果】
【００１２】
本発明による光モジュールによれば、光モジュールの挿入状態において該光モジュールがケージから容易に外れないようにするとともに、光モジュールの抜出時において該光モジュールをケージから容易に引き抜くことができる。
【発明を実施するための最良の形態】
【００１３】
以下、添付図面を参照しながら本発明による光モジュールの実施の形態を詳細に説明する。なお、図面の説明において同一の要素には同一の符号を付し、重複する説明を省略する。また、以下の説明においては、光モジュールをケージへ挿入する挿入方向をｘ軸の正方向とし、該挿入方向と交差している光モジュールの幅方向をｙ軸方向とし、ｘ軸及びｙ軸と交差している光モジュールの高さ方向をｚ軸方向と定義する。
【００１４】
図１は、本実施形態による光モジュールの挿抜構造を示す斜視図である。また、図２は、図１に示す光モジュール３のＡ部分の内部構造を示す分解斜視図である。また、図３は、光モジュール３の筐体１７の天板１７ａを内側から見た斜視図である。また、図４は、図１に示すケージ５を示す斜視図である。また、図５（ａ）は、図４に示すケージ５の平面図であり、図５（ｂ）は、ケージ５の側面図である。
【００１５】
図１を参照すると、本実施形態の光モジュールの挿抜構造は、光モジュール３及びケージ５を含んで構成されている。光モジュール３は、筐体１７を有している。筐体１７は、ｙ軸方向及びｚ軸方向に延びる直方体状を呈しており、平板状の天板１７ａ、及び内部に空洞が形成された容器１７ｂを有している。また、筐体１７におけるｘ軸方向と交差する面のうち一方の面には、コネクタ１９が取り付けられている。このコネクタ１９は、光モジュール３内部の回路とマザーボード７といった配線基板上の配線とを互いに電気的に接続するために設けられている。
【００１６】
また、光モジュール３は、該筐体１７の内部に図示しない光送信部及び光受信部を備えている。このうち、光送信部は、例えばレーザダイオードなどの発光素子を有しており、光モジュール３の外部（例えばマザーボード７）からコネクタ１９を介して提供される電気的な送信信号を光信号に変換して、該光信号を図示しない光ファイバを介して光モジュール３の外部へ送信するための手段である。また、光受信部は、例えばフォトダイオードなどの受光素子を有しており、光モジュール３の外部から図示しない光ファイバを介して提供される光信号を受信して、該光信号を電気的な受信信号に変換し、該受信信号をコネクタ１９を介して光モジュール３の外部（例えばマザーボード７）へ提供するための手段である。また、筐体１７は、光ファイバ受入部１７ｇ及び１７ｄを有している。光ファイバ受入部１７ｇには、フェルールに先端部を覆われた受信側の光ファイバが差し込まれる。また、光ファイバ受入部１７ｄには、フェルールに先端部を覆われた送信側の光ファイバが差し込まれる。これらの光ファイバは、それぞれ光受信部及び光送信部に光学的に結合される。
【００１７】
ここで、図２を参照すると、光モジュール３は、リリースタブ１１、ラッチレバー１３、及びアクチュエータ部材１５をさらに備えている。リリースタブ１１及びラッチレバー１３は、光モジュール３とケージ５とを係合させる係合構造を構成している。さらに、本実施形態では、係合構造がアクチュエータ部材１５を含んでいる。リリースタブ１１、ラッチレバー１３、及びアクチュエータ部材１５は、筐体１７のｙ軸と交差する側面のうち一方の側面に取り付けられている。リリースタブ１１は、矩形の板状を呈しており、その一辺に沿った回転軸１１ａが設けられている。リリースタブ１１は、回転軸１１ａの長手方向がｚ軸方向を向くように筐体１７に取り付けられる。リリースタブ１１の回転軸１１ａは、図示しない筐体１７の孔に回動可能な状態で挿入され、筐体１７に支持されている。リリースタブ１１は、裏面１１ｂ、及び表面１１ｃを有している。リリースタブ１１は、裏面１１ｂがｘ軸方向及びｙ軸方向のそれぞれに対して斜めの方向と交差するように筐体１７に取り付けられている。具体的には、リリースタブ１１の裏面１１ｂは、ｘ軸方向の正の向きとｙ軸方向の正の向きとを合成した方向を向いている。また、リリースタブ１１の表面１１ｃは、ｘ軸方向の負の向きとｙ軸方向の負の向きとを合成した方向を向いている。筐体１７には、ｘ軸方向の負の向きへのリリースタブ１１の回転動作を制限するためのストッパー１７ｅが設けられている。
【００１８】
ラッチレバー１３は、リリースタブ１１と連動してｘ軸方向及びｙ軸方向のそれぞれに対して斜めの方向にスライド可能に支持された部材である。本実施形態では、ラッチレバー１３は、ｘ軸方向に延びた棒状の本体部１３ａを有しており、本体部１３ａの端部に斜面１３ｂを有している。斜面１３ｂは、リリースタブ１１の裏面１１ｂに当接する第１の当接面である。斜面１３ｂは、ｘ軸方向及びｙ軸方向のそれぞれに対して斜めの方向と交差するように形成されている。具体的には、ラッチレバー１３の斜面１３ｂは、ｘ軸方向の負の向きとｙ軸方向の負の向きとを合成した方向を向いている。また、ラッチレバー１３は、本体部１３ａのほぼ中央に突起１３ｅを有している。突起１３ｅは、後述するケージ５の開口５ｆと係合するための第１の突起である。突起１３ｅは、本体部１３ａからｙ軸方向の負の向きに突出している。換言すれば、突起１３ｅは、本体部１３ａから筐体１７の外側へ向けて突出している。
【００１９】
また、ラッチレバー１３は、突起１３ｆを有している。突起１３ｆは、本体部１３ａからアクチュエータ部材１５へ向かって突出した第３の突起である。本実施形態では、突起１３ｆは、本体部１３ａのほぼ中央に形成されており、本体部１３ａからｚ軸方向の負の向きへ突出している。また、ラッチレバー１３は、突起１３ｃ及び１３ｄを有している。これらの突起は、筐体１７に設けられた係合溝１７ｊ及び１７ｋ（後述）と係合する第２の突起である。本実施形態では、突起１３ｄは、本体部１３ａのほぼ中央に形成されており、ｚ軸方向の正の向きに突出している。また、突起１３ｃは、本体部１３ａよりもｙ軸方向の正の向きに突き出た位置からｚ軸方向の正の向きに突出している。
【００２０】
アクチュエータ部材１５は、ラッチレバー１３と連動して筐体１７に対して相対的にｚ軸方向にスライド可能なように筐体１７に支持されている。すなわち、アクチュエータ部材１５は、ｘ軸方向に延びる棒状の本体部１５ａを有しており、筐体１７の突起１７ｆ（後述）と係合する溝１５ｄを本体部１５ａに有している。溝１５ｄは、本体部１５ａの筐体１７と接触する面に設けられており、ｘ軸方向に延びている。また、アクチュエータ部材１５は、溝１５ｆを有している。溝１５ｆは、ラッチレバー１３の突起１３ｆと係合する係合部であり、ｙ軸方向に延びている。本実施形態では、溝１５ｆは、本体部１５ａの筐体１７と接触する面とは反対側の面１５ｅのほぼ中央であって、ラッチレバー１３の突起１３ｆに対応する位置に形成されている。アクチュエータ部材１５は、面１５ｅにおいてラッチレバー１３を支持している。
【００２１】
また、アクチュエータ部材１５は、本体部１５ａよりも細い先端部１５ｇを有しており、先端部１５ｇは、本体部１５ａの端面１５ｃからｘ軸方向の正の向きに延びている。先端部１５ｇの先端には、端面１５ｂが設けられている。端面１５ｂは、アクチュエータ部材１５が動作する際にケージ５に当接する第２の当接面となる。ここで、筐体１７の側面１７ｃには、ｘ軸方向に延びる溝１７ｉが形成されており、アクチュエータ部材１５の先端部１５ｇは、この溝１７ｉの内部をｘ軸方向にスライドするよう溝１７ｉの端から挿入されている。また、溝１７ｉの端にはｘ軸方向と交差する面１７ｈが設けられており、この面１７ｈにアクチュエータ部材１５の本体部１５ａの端面１５ｃが当接することによってアクチュエータ部材１５のｘ軸方向の正の向きへのスライド動作が制限される仕組みになっている。
【００２２】
図３を参照すると、筐体１７の天板１７ａの内側の面には、溝１７ｊ及び１７ｋが設けられている。係合溝１７ｊ及び１７ｋは、ｘ軸方向及びｙ軸方向に対して斜めの方向に延びる係合溝である。具体的には、溝１７ｊ及び１７ｋは、ｘ軸方向の正の向きとｙ軸方向の正の向きとが合成された方向に延びている。溝１７ｊ及び１７ｋには、ラッチレバー１３の突起１３ｄ及び１３ｃがそれぞれ係合される。ここで、溝１７ｊは天板１７ａの側面まで延びているのに対し、溝１７ｋは天板１７ａの側面まで延びていない。これは、ラッチレバー１３の筐体１７からの脱落を防ぐために、ラッチレバー１３の突起１３ｃを溝１７ｋに引っかけるためである。
【００２３】
光モジュール３は、リリースタブ１２、ラッチレバー１４、及びアクチュエータ部材１６をさらに備えている。リリースタブ１２、ラッチレバー１４、及びアクチュエータ部材１６は、前述したリリースタブ１１、ラッチレバー１３、及びアクチュエータ部材１５に対してそれぞれｘｚ平面に関して対称な形状をしており、筐体１７の他方の側面に取り付けられている。また、前述した筐体１７のストッパー１７ｅ、突起１７ｆ、及び溝１７ｉにそれぞれ対応するストッパー、突起、及び溝もまた、ｘｚ平面に関して対称な形状で設けられている。また、天板１７ａには、溝１７ｊ及び１７ｋに対してｘｚ平面に関してそれぞれ対称な形状の溝が設けられている。
【００２４】
再び図１を参照すると、ケージ５は、マザーボード７上に固定されている。ケージ５は、光モジュール３をマザーボード７上に固定するためのものである。ケージ５に対して、光モジュール３はｘ軸方向の正の向きに挿入され、ｘ軸方向の負の向きに抜出される。また、ケージ５に対してｘ軸正方向のマザーボード７上には、コネクタ８が固定されている。コネクタ８は光モジュール３のコネクタ１９と嵌合するコネクタであり、マザーボード７上の配線と電気的に接続されている。
【００２５】
ここで、図４及び図５（ａ）、（ｂ）を参照すると、ケージ５は、前部５ｂ及び後部５ｃを有している。前部５ｂは、そのｘｚ断面が矩形状になるよう形成されており、ｘ軸方向に貫通する開口５ｅを有している。開口５ｅの断面形状及び寸法は、光モジュール３の筐体１７の断面形状及び寸法にあわせて形成されている。また、前部５ｂのｙ軸方向と交差する２つの側面には、開口５ｆが形成されている。開口５ｆは、光モジュール３のラッチレバー１３の突起１３ｅ（図２参照）と係合するための係合部である。本実施形態においては、開口５ｆはラッチレバー１３の突起１３ｅに対応する位置に矩形状に形成されている。
【００２６】
また、ケージ５の後部５ｃは、図１に示すようにマザーボード７上のコネクタ８に被さるように形成されている。そして、前部５ｂと後部５ｃとは、ｙ軸方向と交差しておりｘ軸方向に延びる板状の側部５ｉ及び５ｊによって互いに連結されている。側部５ｉの内側には、ｙ軸方向の正の向きに突出しておりｘ軸方向に延びている突起５ｇが設けられている。同様に、側部５ｊの内側には、ｙ軸方向の負の向きに突出しておりｘ軸方向に延びている突起５ｈが設けられている。突起５ｇは、光モジュール３がケージ５に挿入される際に、光モジュール３の筐体１７の側面１７ｃに設けられた溝１７ｉ（図２参照）に係合され、光モジュール３をｘ軸方向へ導く。突起５ｈも、光モジュール３の側面１７ｃとは反対側の側面に設けられた溝に係合され、光モジュール３をｘ軸方向へ導く。また、突起５ｇの端部５ｋは、光モジュール３のアクチュエータ部材１５に対してｘ軸方向に当接可能な当接部となる。具体的には、突起５ｇの端部５ｋは、光モジュール３がケージ５に挿入された状態において、筐体１７の溝１７ｉ内をスライドするアクチュエータ部材１５の先端部１５ｇの端面１５ｂと当接する。従って、アクチュエータ部材１５のｘ軸の正方向へのスライド動作によって、ケージ５の突起５ｇにｘ軸方向の力が及ぼされることとなる。突起５ｈの端部５ｍについても同様であり、側面１７ｃとは反対側の側面に取り付けられたアクチュエータ部材１６に当接し、このアクチュエータ部材１６からｘ軸方向の力が及ぼされる。
【００２７】
次に、本実施形態による光モジュールの挿抜構造における作用を説明する。図６（ａ）及び図６（ｂ）、図７（ａ）及び図７（ｂ）、並びに図８（ａ）及び図８（ｂ）は、光モジュールの挿抜構造の作用を説明するための光モジュール３の平面図及び側面図である。なお、以下の説明においては、光モジュール３の２つの側面のうち一方の側面１７ｃにおける作用（すなわち、リリースタブ１１、ラッチレバー１３、及びアクチュエータ部材１５による作用）のみ説明する。他方の側面における作用（リリースタブ１２、ラッチレバー１４、及びアクチュエータ部材１６による作用）は、以下に説明する作用とｘｚ平面に関して対称となるので、詳細な説明を省略する。
【００２８】
図６（ａ）及び（ｂ）は、光モジュール３においてリリースタブ１１が押し込まれていない状態、すなわちケージ５に挿入されてラッチされている状態を示している。この状態では、ラッチレバー１３がケージ５寄りに位置しており、ケージ５の開口５ｆ（図４参照）に係合する。また、コネクタ１９は、マザーボード上のコネクタ８（図１参照）と嵌合している。
【００２９】
続いて、図７（ａ）及び（ｂ）に示すように、作業者がリリースタブ１１を光モジュール３の内側へ向けて押し込むと（図中の矢印Ｂ）、リリースタブ１１からの押圧力及び変位がリリースタブ１１の裏面１１ｂを介してラッチレバー１３の斜面１３ｂ（図２参照）へ伝わる。すると、ラッチレバー１３がリリースタブ１１の回転動作に連動して、ラッチレバー１３の突起１３ｄ及び１３ｃが筐体１７の天板１７ａに設けられた溝１７ｊ及び１７ｋ内をそれぞれ導かれ、ラッチレバー１３が溝１７ｊ及び１７ｋの延びる方向にスライドする（矢印Ｃ）。また、このとき、アクチュエータ部材１５の溝１５ｆに係合されているラッチレバー１３の突起１３ｆ（図２参照）がアクチュエータ部材１５へ押圧力及び変位を伝える。そして、アクチュエータ部材１５の溝１５ｄが筐体１７の突起１７ｆに導かれることにより、アクチュエータ部材１５が筐体１７に対してｘ軸方向の正の向きへ相対的にスライドする（矢印Ｄ）。すると、アクチュエータ部材１５の先端部１５ｇの端面１５ｂが、ケージ５の突起５ｇの端部５ｋをｘ軸方向に押すこととなる。従って、作業者がリリースタブ１１を押し込む力が、アクチュエータ部材１５のケージ５を押す力に変換され、光モジュール３がケージ５に対して相対的にｘ軸方向の負の向き（すなわち挿入方向の逆方向）に移動する。
【００３０】
続いて、図８（ａ）及び図８（ｂ）に示すように、作業者がリリースタブ１１を光モジュール３の内側へ向けて押し込み続けると、ラッチレバー１３がスライドして突起１３ｅが光モジュール３の内側へ向けて充分に引き込まれる（矢印Ｅ）。すると、ラッチレバー１３の突起１３ｅとケージ５の開口５ｆ（図４参照）との係合関係が解除される。また、アクチュエータ部材１５の先端部１５ｇの端面１５ｂがケージ５の突起５ｇを押し続けることによって、光モジュール３がケージ５に対して相対的にｘ軸方向の負の向きに所定の距離だけ移動することとなる（矢印Ｆ）。こうして、光モジュール３の一部がケージ５の前部５ｂからｘ軸方向の負の向きへ突き出る。作業者は、この突き出た光モジュール３の一部を掴んで、光モジュール３をケージ５から引き抜くことができる。
【００３１】
以上に説明した本実施形態による光モジュール３は、以下の効果を有する。すなわち、本実施形態によれば、光モジュール３の挿入状態においては、ラッチレバー１３の突起１３ｅがケージ５の開口５ｆと係合することにより光モジュール３がケージ５にラッチされるので、光モジュール３のコネクタ１９はマザーボード７のコネクタ８から容易に外れない。また、本実施形態によれば、光モジュール３を引き抜く際に、作業者がリリースタブ１１を押し込むことにより、光モジュール３とケージ５との係合状態を解除することができるので、光モジュール３をケージ５から容易に引き抜くことができる。なお、以上の効果は、リリースタブ１２、ラッチレバー１４、及びアクチュエータ部材１６についても同様である。
【００３２】
なお、光モジュール３をケージ５に挿入した状態において、光モジュール３の掴みしろが比較的大きな場合には、光モジュール３がアクチュエータ部材１５及び１６を備えず、ケージ５が突起５ｇ及び５ｈの端部５ｋ及び５ｍを備えない構成であってもよい。この場合、作業者がリリースタブ１１を押し込むことにより光モジュール３とケージ５との係合状態が解除されるので、光モジュールをケージから容易に引き抜くことが可能となる。
【００３３】
また、本実施形態による光モジュール３は、筐体１７が、光モジュール３のケージ５への挿入方向に対し斜め方向に設けられた溝１７ｊ、１７ｋを有し、ラッチレバー１３が、リリースタブ１１に当接する斜面１３ｂと、筐体１７の溝１７ｊ、１７ｋに係合する突起１３ｄとを有し、ラッチレバー１３と斜面１３ｂとが当接しつつリリースタブ１１が回転することにより、突起１３ｄが溝１７ｊ、１７ｋ中をスライドし、突起１３ｅとケージ５の開口５ｆとの係合を解く構造となっている。これによって、ラッチレバー１３がリリースタブ１１の回転動作に連動して斜め方向に安定してスライドすることができる。
【００３４】
また、本実施形態による光モジュール３は、係合構造がさらにラッチレバー１３と連動するアクチュエータ１５を有し、ラッチレバー１３が、アクチュエータ１５と係合する突起１３ｆを有し、アクチュエータ１５が、突起１３ｆと係合する溝１５ｆと、ケージ５に当接する端面１５ｂとを有し、リリースタブ１１とラッチレバー１３の斜面１３ｂとが当接しつつリリースタブ１１が回転することによりアクチュエータ１５が挿入方向にスライドし、端面１５ｂがケージ５に当接しつつ挿入方向と逆方向に筐体１７をスライドさせる構造となっている。この光モジュール３によれば、作業者がリリースタブ１１を押し込むことにより、光モジュール３とケージ５との係合状態を解除するとともに光モジュール３の一部をケージ５から突き出すことができるので、作業者が光モジュール３を掴み易くなり、光モジュール３をケージ５からさらに容易に引き抜くことができる。
【００３５】
また、本実施形態では、光モジュール３において、アクチュエータ部材、ラッチレバー１３及び１４、並びにリリースタブ１１及び１２が、筐体１７の２つの側面に対称に設けられている。また、本実施形態では、ケージ５において、開口５ｆ及び突起５ｇ、５ｈの端部５ｋ、５ｍが光モジュール３のラッチレバー１３及び１４並びにアクチュエータ部材１５及び１６にそれぞれ対応して対称に設けられている。これによって、作業者がリリースタブ１１及び１２を光モジュール３の両側面から指で摘むことができるので、作業者がリリースタブ１１及び１２を押し込むことが容易になる。また、アクチュエータ部材からケージ５への力が光モジュール３の筐体１７の両側面においてバランスよく加えられるので、光モジュール３をケージ５からさらに容易に引き抜くことができる。
【００３６】
また、本実施形態では、リリースタブ１１が裏面１１ｂを有しており、ラッチレバー１３が斜面１３ｂを有している。これによって、リリースタブ１１の回転動作が裏面１１ｂ及び斜面１３ｂを介してラッチレバー１３へ伝わるので、ラッチレバー１３がリリースタブ１１の回転動作に連動して斜面１３ｂと交差する方向に好適にスライドすることができる。
【００３７】
また、本実施形態では、ラッチレバー１３が突起１３ｆを有しており、アクチュエータ部材１５が溝１５ｆを有している。これによって、ラッチレバー１３からの押圧力及び変位が突起１３ｆ及び溝１５ｆを介してアクチュエータ部材１５へ伝わるので、アクチュエータ部材１５が、ラッチレバー１３に好適に連動することができる。
【００３８】
また、本実施形態では、筐体１７が突起１７ｆを有しており、アクチュエータ部材１５が溝１５ｄを有している。これによって、アクチュエータ部材１５がスライドする際に該アクチュエータ部材１５が溝１５ｄ及び突起１７ｆの方向に導かれるので、アクチュエータ部材１５が、筐体１７に対してｘ軸方向に好適にスライドすることができる。
【００３９】
また、本実施形態では、筐体１７の天板１７ａが溝１７ｊ及び１７ｋを有しており、ラッチレバー１３が突起１３ｄ及び１３ｃを有している。これによって、ラッチレバー１３がスライドする際に該ラッチレバー１３が溝１７ｊ及び１７ｋの方向に導かれるので、ラッチレバー１３が安定してスライドすることができる。
【図面の簡単な説明】
【００４０】
【図１】図１は、本実施形態による光モジュールの挿抜構造を示す斜視図である。
【図２】図２は、図１に示す光モジュールのＡ部分の内部構造を示す分解斜視図である。
【図３】図３は、光モジュールの筐体の天板を内側から見た斜視図である。
【図４】図４は、図１に示すケージを示す斜視図である。
【図５】図５（ａ）は、図４に示すケージの平面図である。図５（ｂ）は、ケージの側面図である。
【図６】図６（ａ）は、光モジュールの挿抜構造の作用を説明するための光モジュールの平面図である。図６（ｂ）は、光モジュールの挿抜構造の作用を説明するための光モジュールの側面図である。
【図７】図７（ａ）は、光モジュールの挿抜構造の作用を説明するための光モジュールの平面図である。図７（ｂ）は、光モジュールの挿抜構造の作用を説明するための光モジュールの側面図である。
【図８】図８（ａ）は、光モジュールの挿抜構造の作用を説明するための光モジュールの平面図である。図８（ｂ）は、光モジュールの挿抜構造の作用を説明するための光モジュールの側面図である。
【符号の説明】
【００４１】
３…光モジュール、５…ケージ、５ｅ、５ｆ…開口、５ｇ、５ｈ…突起、５ｂ…前部、５ｃ…後部、５ｉ、５ｊ…側部、５ｋ、５ｍ…端部、７…マザーボード、８…コネクタ、１１、１２…リリースタブ、１１ａ…回転軸、１１ｂ…裏面、１１ｃ…表面、１３、１４…ラッチレバー、１３ａ…本体部、１３ｂ…斜面、１３ｃ〜１３ｆ…突起、１５、１６…アクチュエータ部材、１５ａ…本体部、１５ｂ、１５ｃ…端面、１５ｄ、１５ｆ…溝、１５ｇ…先端部、１７…筐体、１７ａ…天板、１７ｂ…容器、１７ｃ…側面、１７ｄ、１７ｇ…光ファイバ受入部、１７ｅ…ストッパー、１７ｆ…突起、１７ｈ…面、１７ｉ〜１７ｋ…溝、１９…コネクタ。
【図１】
2005043757.tif 000003
【図２】
2005043757.tif 000004
【図３】
2005043757.tif 000005
【図４】
2005043757.tif 000006
【図５】
2005043757.tif 000007
【図６】
2005043757.tif 000008
【図７】
2005043757.tif 000009
【図８】
2005043757.tif 000010